(57)【特許請求の範囲】
【請求項１】
映像を示す映像情報が記憶された映像情報記憶手段と、
楽曲を示す楽曲情報が再生される際に前記映像情報記憶手段に記憶されている映像情報の中の所定の映像情報を選択して再生する再生手段とが備えられた映像再生装置において、
前記再生手段は、
前記映像情報記憶手段に記憶されている映像情報の中から複数の映像情報を選択し、それらの選択された複数の映像情報を所定の順序で再生可能なものであり、かつ、それらの複数の映像情報を選択して再生する際に、それらの選択される複数の映像情報のうち、所定の映像情報が前記映像情報記憶手段に記憶されていない場合に、その記憶されていない映像情報に代えて、その記憶されていない映像情報が再生される順序の前後のいずれかの順序で再生される映像情報（以下、代替映像情報という）を再生するものであることを特徴とする映像再生装置。
【請求項２】
前記映像情報記憶手段には、
前記代替映像情報が記憶されていない場合に、その記憶されていない代替映像情報に代わって選択される基準となる基準映像を示す基準映像情報が記憶されており、
前記再生手段は、
前記代替映像情報が前記映像情報記憶手段に記憶されていない場合に、前記映像情報記憶手段の中から前記基準映像情報を選択し、その選択した基準映像情報を前記代替映像情報に代えて再生するものであることを特徴とする請求項１に記載の映像再生装置。
【請求項３】
前記映像情報記憶手段に記憶された映像情報は、
前記楽曲情報により示される楽曲のジャンルに対応した複数の映像情報であり、
前記再生手段は、
前記ジャンルに対応した複数の映像情報を選択して再生可能なものであることを特徴とする請求項１または請求項２に記載の映像再生装置。
【請求項４】
前記映像情報は、前記映像情報記憶手段にＭＰＥＧ規格により記憶されてなることを特徴とする請求項１ないし請求項３のいずれか１つに記載の楽音再生装置。
【請求項５】
請求項１ないし請求項４のいずれか１つに記載の映像再生装置と、前記楽曲情報を再生する楽曲情報再生手段とが備えられたことを特徴とする楽音再生装置。
【発明の詳細な説明】
【０００１】
【発明の属する技術分野】
この発明は、映像を再生する映像再生装置であって、歌詞を示す歌詞テロップと、この歌詞テロップの背景に表示する背景映像とをモニタテレビに表示してカラオケを行うカラオケ装置において上記背景映像を再生する装置として好適なものに関する。
【０００２】
【従来の技術】
従来、上記カラオケ装置としては、たとえば、曲データを保有するサーバーから通信回線を介して曲データを受信し、この受信した曲データを再生する、いわゆる通信カラオケ装置が知られている。
この通信カラオケ装置には、選曲、曲データの受信および再生などを行う曲データ再生装置、曲の演奏およびマイクミキシングなどを行うアンプ、このアンプから出力される信号を音として再生するスピーカ、背景映像を再生する動画プレーヤ、歌詞テロップおよび背景映像を表示するモニタテレビ、マイクロフォンなどが備えられている。
【０００３】
動画プレーヤには、複数の背景映像が記憶されたＣＤ−ＲＯＭが複数枚（たとえば、４枚）内蔵されており、１つの背景映像の再生時間は、背景映像によって異なるが、たとえば、３０秒である。また、各背景映像は、それぞれ曲のジャンル（たとえば、１０のジャンル）と対応付けて記憶されており、各背景映像には、ジャンルを示すジャンルデータが付されている。
たとえば、港に停泊する船を映した映像の中に和服の女性が登場する背景映像や、同じく港に停泊する船を映した映像中に男女が登場する背景映像などには、それぞれ「演歌一般」というジャンルを示すジャンルデータが付されている。
また、曲データは、曲の演奏部分を示す演奏データ、歌詞テロップを示す歌詞テロップデータ、曲のジャンルを示すジャンルデータなどから構成されており、演奏データは、ＭＩＤＩ（Musical Instrument Digital Interface）データで構成されている。
【０００４】
そして、上記構成のカラオケ装置では、動画プレーヤは、曲データに含まれるジャンルデータに対応するジャンルデータが付された複数の背景映像の中から１つの背景映像をランダムに選択して再生する。この動画プレーヤにより再生された背景映像は、モニタテレビに表示される。動画プレーヤは、背景映像の選択および再生を曲の演奏が終了するまで繰り返し実行する。たとえば、演奏する曲の再生時間が４分であり、１つの背景映像の再生時間が３０秒であるとすると、上記選択および再生を同一ジャンルにおいて８回繰り返し、計８個の背景映像が順次モニタに表示される。
【０００５】
また、曲データ再生装置は、選曲された曲を示す曲データをサーバーから受信し、この受信した曲データに含まれるＭＩＤＩデータをＭＩＤＩ音源に書込み、ＭＩＤＩ音源から発生する信号は、アンプおよびスピーカにより再生される。さらに、曲データ再生装置は、曲データに含まれる歌詞テロップデータを映像信号に変換し、この変換された映像信号は、モニタテレビに歌詞テロップとして表示される。
【０００６】
【発明が解決しようとする課題】
ところで、背景映像は、新しいものに更新されたり、新しく追加されたりする場合がある。この場合、その新しい背景映像を指定する曲の曲データには、その背景映像を指定する新たなジャンルデータが付されることになる。そして、その曲データは、通信回線を介してサブホストコンピュータからサーバーへ送信され、サーバーに備えられたハードディスクドライブに保存される。
【０００７】
しかし、カラオケ装置によっては、動画プレーヤに内蔵されたＣＤ−ＲＯＭを新しいものに交換しない場合がある。このようなカラオケ装置では、サーバーから新しい背景映像を指定するジャンルデータを有する曲データが送信されても再生することができないため、背景映像をモニタに表示できないという問題がある。
したがって、カラオケをしている最中にモニタ画面から背景映像が消えてしまい、カラオケをする楽しみが損なわれる。
【０００８】
そこで、本発明は、選択すべき映像情報が映像情報記憶手段に記憶されていない場合であっても、その記憶されていない映像情報に代わる映像情報を再生することができる映像再生装置の実現を目的とする。
【０００９】
【課題を解決するための手段】
請求項１に記載の発明では、映像を示す映像情報が記憶された映像情報記憶手段と、楽曲を示す楽曲情報が再生される際に前記映像情報記憶手段に記憶されている映像情報の中の所定の映像情報を選択して再生する再生手段とが備えられた映像再生装置において、前記再生手段は、前記映像情報記憶手段に記憶されている映像情報の中から複数の映像情報を選択し、それらの選択された複数の映像情報を所定の順序で再生可能なものであり、かつ、それらの複数の映像情報を選択して再生する際に、それらの選択される複数の映像情報のうち、所定の映像情報が前記映像情報記憶手段に記憶されていない場合に、その記憶されていない映像情報に代えて、代替映像情報を再生するものであるという技術的手段を採用する。
【００１０】
【００１１】
【００１２】
【００１３】
【００１４】
【００１５】
請求項２に記載の発明では、請求項１に記載の映像再生装置において、前記映像情報記憶手段には、前記代替映像情報が記憶されていない場合に、その記憶されていない代替映像情報に代わって選択される基準となる基準映像を示す基準映像情報が記憶されており、前記再生手段は、前記代替映像情報が前記映像情報記憶手段に記憶されていない場合に、前記映像情報記憶手段の中から前記基準映像情報を選択し、その選択した基準映像情報を前記代替映像情報に代えて再生するものであるという技術的手段を採用する。
【００１６】
請求項３に記載の発明では、請求項１または請求項２に記載の映像再生装置において、前記映像情報記憶手段に記憶された映像情報は、前記楽曲情報により示される楽曲のジャンルに対応した複数の映像情報であり、前記再生手段は、前記ジャンルに対応した複数の映像情報を選択して再生可能なものであるという技術的手段を採用する。
【００１７】
請求項４に記載の発明では、請求項１ないし請求項３のいずれか１つに記載の楽音再生装置において、前記映像情報は、前記映像情報記憶手段にＭＰＥＧ規格により記憶されてなるという技術的手段を採用する。
【００１８】
請求項５に記載の発明では、請求項１ないし請求項４のいずれか１つに記載の映像再生装置と、前記楽曲情報を再生する楽曲情報再生手段とが備えられた楽音再生装置という技術的手段を採用する。
【００１９】
【作用】
請求項１ないし請求項５に記載の発明では、上記再生手段は、映像情報記憶手段に記憶されている映像情報の中から複数の映像情報を選択し、それらの選択された複数の映像情報を所定の順序で再生可能なものであり、かつ、それらの複数の映像情報を選択して再生する際に、それらの選択される複数の映像情報のうち、所定の映像情報が前記映像情報記憶手段に記憶されていない場合に、その記憶されていない映像情報に代えて、代替映像情報を再生する。
つまり、複数の映像情報を所定の順序で再生する場合は、相互に類似する映像を示す映像情報を所定の順序で再生する場合が多いため、上記の記憶されていない映像情報が再生される順序の前後のいずれかの順序で再生される映像情報を再生することにより、上記記憶されていない映像情報により示される映像と類似する映像を再生することができる。
【００２０】
たとえば、後述する発明の実施の形態に記載するように、カラオケ装置では、曲のジャンルに対応した複数の背景映像を連続して再生するため、それら複数の背景映像のうち、所定の背景映像が記憶されていない場合であっても、その記憶されていない背景映像に類似する背景映像を、その記憶されていない背景映像が再生される順序の前後方向に検索し、その検索された背景映像を上記記憶されていない背景映像に代えて再生することにより、曲のジャンルに対応した背景映像を再生することができるため、カラオケをしている最中にモニタ画面から背景映像が消えてしまい、カラオケする楽しみが損なわれるという事態の発生を防止できる。
【００２１】
【００２２】
【００２３】
【００２４】
【００２５】
【００２６】
【００２７】
【００２８】
【００２９】
さらに、請求項２に記載の発明では、上記映像情報記憶手段には、上記代替映像情報が記憶されていない場合に、その記憶されていない代替映像情報に代わって選択される基準となる基準映像を示す基準映像情報が記憶されており、上記再生手段は、上記代替映像情報が前記映像情報記憶手段に記憶されていない場合に、上記映像情報記憶手段の中から上記基準映像情報を選択し、その選択した基準映像情報を上記代替映像情報に代えて再生する。
【００３０】
つまり、代替映像情報が記憶されていない場合に、その記憶されていない代替映像情報に代えて再生するための基準となる基準映像を示す基準映像情報を映像情報記憶手段に記憶させておき、上記代替映像情報が映像情報記憶手段に記憶されていない場合に、映像情報記憶手段の中から上記基準映像情報を選択し、その選択した基準映像情報を上記代替映像情報に代えて再生する。
たとえば、後述する発明の実施の形態に記載するように、指定した背景映像が記憶されておらず、さらにその記憶されていない背景映像に類似する背景映像（代替映像）も記憶されていない場合であっても、選曲された曲のジャンルに属する各曲に共通の映像を示す基準映像を記憶させておき、その基準映像を代替映像に代えて再生することができるため、カラオケの最中にモニタ画面から背景映像が消えてしまい、カラオケをする楽しみが損なわれる事態を回避できる。
【００３１】
また、請求項１または請求項２に記載の技術的手段は、請求項３に記載の発明のように、上記映像情報記憶手段に記憶された映像情報が、上記楽曲情報により示される楽曲のジャンルに対応した複数の映像情報であり、上記再生手段が、上記ジャンルに対応した複数の映像情報を選択して再生可能な映像再生装置に好適に採用される。
つまり、楽曲のジャンルに対応した複数の映像情報を再生する映像再生装置では、曲のイメージに合った映像を再生することにより、楽曲情報を再生する興趣の盛り上がりを映像面で補助する目的を有するため、再生の途中で背景映像の再生が中断すると、折角盛り上がっていた興趣を損なうことになるが、上記各技術的手段を採用することにより、そのような中断をなくすことができるからである。
【００３２】
さらに、請求項１ないし請求項４のいずれか１つに記載の映像再生装置は、請求項５に記載の発明のように、上記楽曲情報を再生する楽曲情報再生手段が備えられた楽音再生装置に好適に用いられる。
つまり、たとえば、後述する発明の実施の形態に記載するように、楽音再生装置たるカラオケ装置では、楽曲情報たる曲データを再生する際に、背景映像をモニタ画面に表示するが、その背景映像を再生するＤＶＤプレーヤに上記各技術的手段を採用することにより、カラオケをしている最中にモニタ画面から背景映像が消えてしまい、カラオケをしている場の雰囲気に水を差すという事態を回避できるからである。
【００３３】
【発明の実施の形態】
以下、本発明の映像再生装置の一実施形態について図を参照して説明する。
なお、以下の実施形態では、映像再生装置として、曲データを保有するサーバーと通信回線で接続され、そのサーバーから通信回線を介して曲データを受信して再生する、いわゆる通信カラオケ装置に用いられる背景映像再生装置を代表に説明する。また、その背景映像再生装置として、ＤＶＤを再生するＤＶＤプレーヤを代表に説明する。
【００３４】
まず、本実施形態のＤＶＤプレーヤが備えられたカラオケ装置の主要構成について、それを示す図１を参照して説明する。
図１に示すように、カラオケ装置１０には、歌詞を示す歌詞テロップ、歌詞テロップの背景に表示する背景映像、選曲番号を示す映像などを表示するモニタテレビ（以下、モニタと略称する）１２と、歌唱者用のモニタ１４とが備えられている。また、カラオケ装置１０には、本発明の映像情報たる背景映像データが記憶されたＤＶＤを再生するＤＶＤプレーヤ６が備えられている。
【００３５】
さらに、カラオケ装置１０には、楽曲たるカラオケ用の曲（以下、曲と略称する）の選曲と、選曲された曲の歌詞テロップおよび曲の演奏部分を示す演奏データなどから構成される、本発明の楽曲情報たる曲データの通信ケーブル１５を介しての受信、曲の再生の予約、ならびに、モニタ１２，１４に表示される映像の切替え、合成などを行う装置（以下、コマンダと称する）２０と、マイクロフォン１７，１８とが備えられている。
【００３６】
また、カラオケ装置１０には、マイクロフォン１７，１８から入力される音声と曲とのミキシング、音声と曲との音量バランス、エコー調整、ディレイ調整、ミキシング信号の増幅、演奏される曲の音程制御（キーコントロール）、高音、低音の制御（トーンコントロール）などを行うアンプ１６と、このアンプ１６から出力される増幅信号を音として再生する１組のスピーカ１３，１３と、コマンダ２０を遠隔操作する送信器７０とが備えられている。
【００３７】
次に、コマンダ２０の構成および機能について図２を参照して説明する。
図２（Ａ）は、コマンダ２０の前面パネルの説明図であり、同図（Ｂ）は、コマンダ２０の背面パネルの説明図である。
図２（Ａ）に示すように、コマンダ２０の前面パネルには、選曲する曲の選曲番号の入力などを行うための０〜９のボタンからなるテンキー２１と、選曲を確定するための選曲ボタン２２とが設けられており、テンキー２１の上方には、選曲された曲の選曲番号を６桁の数字でＬＥＤ表示する選曲番号表示体２３が設けられている。
【００３８】
また、選曲番号表示体２３の左方には、演奏が予約されている曲の数をＬＥＤ表示する予約曲数表示体２４が設けられており、その下方には、予約の取消を行うための取消しボタン２５と、演奏を停止させる演奏停止ボタン２６と、歌っている途中で最初から歌い直すための歌い直しボタン２７と、予約曲の間に割り込んで予約するための割り込みボタン２８とが設けられている。さらに、前面パネルの左上には、送信器７０から送信される光信号を受信する受信部３８が設けられており、左下には、コマンダ２０の電源を立ち上げる電源ボタン３９が設けられている。
【００３９】
また、テンキー２１の右方には、演奏のキーを低くするフラットキー２９と、キーを標準にする標準キー３０と、キーを高くするシャープキー３１とが設けられており、それらキーの下方には、ボーカルのメロディーラインの音量を設定するボーカルボタン３２と、２コーラス目までを再生する２コーラスカットボタン３３と、曲の後奏部分をカットする後奏カットボタン３４とが設けられている。さらに、それらボタンの下方には、カラオケを行うモードとカラオケを行わないモードとに切り替えるカラオケ切替ボタン３５と、通信ケーブル１５を介して入力されるデータを曲データからＢＧＭ、有線放送、テレビ放送などに切り替える入力切替ボタン３６と、モニタ１２，１４の表示をサーバーなどが提供しているサービス情報の表示に切り替えるサービスボタン３７とが設けられている。
【００４０】
また、図２（Ｂ）に示すように、コマンダ２０の背面パネルには、各地域に設置されたサーバー２（図３参照）と通信を行うための通信ケーブル１５を接続する通信端子４０が設けられており、この通信端子４０の右側には、ＤＶＤプレーヤ６の制御回路６３（図４参照）に接続されたプラグ６８を接続するためのコネクタ６９が設けられている。このコネクタ６９の右側には、ＤＶＤプレーヤ６の映像出力端子６７（図４参照）を接続するための映像入力端子５８が設けられている。この映像入力端子５８の右側には、モニタ１２の映像入力端子（図示省略）と接続される映像出力端子４２と、モニタ１４の映像入力端子（図示省略）と接続される映像出力端子４３とが設けられており、この映像出力端子４３の右側には、アンプ１６の音声入力端子と接続するための音声出力端子４１が設けられている。
【００４１】
次に、上記コマンダ２０の制御系の構成について図３および図６（Ａ）を参照して説明する。
図３は、コマンダ２０の制御系の主要構成をブロックで示す説明図であり、図６（Ａ）は、曲データの主要構成をブロックで示す説明図である。
最初に、曲データの主要構成について図６（Ａ）を参照して説明する。
曲データ１３０は、再生する背景映像の種類や再生順序などの再生スケジュールを指示する再生方法指示コマンド１６０、歌詞テロップ（字幕）を示す歌詞テロップデータ１３２、曲の演奏部分を示す演奏データ１３３などから構成される。演奏データ１３３は、ＭＩＤＩデータで構成される。
【００４２】
次に、コマンダ２０の制御系の主要構成について図３を参照して説明する。
コマンダ２０には、選曲、サーバー２に対する曲データ１３０の送信要求、曲データ１３０の受信、ＤＶＤプレーヤ６に対する各種コマンドの送信、曲の演奏順序の予約、音声制御、映像制御などをプログラムにしたがって行うＣＰＵ４５が備えられている。また、ＣＰＵ４５には、ＣＰＵ４５により実行されるプログラムなどが記憶されたＲＯＭ４６と、受信した曲データ１３０、送信器７０から送信されたデータ、選曲された曲の選曲番号を示す選曲番号データ、予約された曲の選曲番号データなどを一時保存するためのＲＡＭ４７とが接続されている。
【００４３】
また、ＣＰＵ４５には、歌詞テロップを構成する文字、選曲番号、カラオケ装置１０の動作状態などを示す文字をモニタ１２，１４に表示するためのフォントデータが記憶されたフォントＲＯＭ４４と、このフォントＲＯＭ４４から読出され、ビットマップデータに展開されたデータを一時記憶するビデオＲＡＭ４８と、サーバー２から通信ケーブル１５および通信端子４０を介して曲データ１３０を受信するための通信用モデム４９とが接続されている。さらに、ＣＰＵ４５には、タイマ５３のカウントにしたがって曲データ１３０に含まれる演奏データ１３３を構成するＭＩＤＩデータをＭＩＤＩ音源５２へ書き込む制御を行うシーケンサ５１と、ＭＩＤＩ音源５２から出力される音源信号を入力してアンプ１６により増幅可能な信号に変換する音声制御回路５０が接続されている。
【００４４】
また、ＣＰＵ４５には、ＤＶＤプレーヤ６との間でコマンドなどの入出力を行うためのインターフェース５９が接続されている。さらに、ＣＰＵ４５には、ＤＶＤプレーヤ６からインターフェース５９を介して入力された背景映像信号をモニタ１２，１４により表示するための表示信号に変換したり、ビデオＲＡＭ４８から出力されるビットマップデータを歌詞テロップに変換したりする映像制御回路５４が接続されている。映像制御回路５４は、モニタ１２の表示画面を説明する図１８に示すように、背景映像３００の中に歌詞テロップ３０２がスーパーインポーズされるように制御を行う。また、映像制御回路５４は、曲の進行にしたがって歌詞テロップの色を変える制御も行う。
【００４５】
また、ＣＰＵ４５には、受信部３８により受信された光信号をデジタル信号に変換する変換回路５５と、制御装置２０の前面パネルに設けられた各種ボタンを押したときに点灯するＬＥＤ、選曲番号表示体２３および予約曲数表示体２４へ表示信号を出力する表示回路５６と、上記各種ボタンを押したときに発生するスイッチング信号を入力する入力回路５７とが接続されている。
【００４６】
次に、ＤＶＤプレーヤ６の構成および機能について、それをブロックで示す図４を参照して説明する。
ＤＶＤプレーヤ６には、背景映像を示す背景映像データが記憶されたＤＶＤ６１Ａから背景映像データを読出すＤＶＤドライブ６１と、同じく背景映像データが記憶されたＤＶＤ６２Ａから背景映像データを読出すＤＶＤドライブ６２とが内蔵されている。両ＤＶＤドライブ６１、６２には、図示しないディスク回転用のモータ、モータ駆動回路、ディスク面に光線を照射してディスクに記憶された背景映像データを読取る読取ヘッドなどがそれぞれ設けられている。
なお、ＤＶＤ６１ＡおよびＤＶＤ６２Ａが、本発明の映像情報記憶手段に相当する。
【００４７】
また、ＤＶＤプレーヤ６には、ＤＶＤ６１Ａ、６２Ａから読出された背景映像データを一時記憶するバッファメモリ６５と、バッファメモリ６５から出力されるＭＰＥＧデジタルデータ（背景映像データ）を入力してアナログの背景映像信号に変換するＭＰＥＧデコーダ回路６６とが内蔵されている。
さらに、ＤＶＤプレーヤ６には、ＤＶＤ６１Ａ、ＤＶＤ６２Ａから背景映像データを読出す制御などを行うＣＰＵ６４を備えた制御回路６３と、映像管理テーブル用メモリ６０とが内蔵されている。
【００４８】
映像管理テーブル用メモリ６０には、ＤＶＤ６１Ａ、６２Ａに記憶されている背景映像データのファイル名をジャンルおよびキーワードと対応付けてテーブル形式で記憶して管理する背景映像ファイルテーブル１００（図１０参照）などが記憶される。背景映像ファイルテーブル１００などは、ＤＶＤ６１Ａ、または、ＤＶＤ６２Ａに記憶されており、ＤＶＤプレーヤ６の電源が立ち上げられた際に読出され、映像管理テーブル用メモリ６０に記憶される。
なお、ＤＶＤプレーヤ６からＤＶＤ６１ＡおよびＤＶＤ６２Ａを除いた構成が、本発明の再生手段に相当する。
【００４９】
ＤＶＤ６１ＡおよびＤＶＤ６２Ａには、それぞれ多く（たとえば、３２，０００個）の背景映像がＭＰＥＧ２ビデオ方式で圧縮されて記憶されている。また、各背景映像は、演歌、ポップスなど、曲のジャンル別に記憶されており、１つの背景映像の再生時間は背景映像ごとに異なるが、たとえば、３０秒である。ここで、ＭＰＥＧとは、Moving Picture Experts Groupの略であり、動画像およびこれに関連するオーディオなどの情報圧縮の国際標準規格を指す。
なお、本実施形態では、映像管理テーブル用メモリ６０には、ＲＡＭなどの書換可能な記憶媒体が用いられる。
【００５０】
ここで、映像管理テーブル用メモリ６０の記憶内容について図９ないし図１５を参照して説明する。
映像管理テーブル用メモリ６０には、図１０に示す背景映像ファイルテーブル１００が記憶されている。背景映像ファイルテーブル１００には、背景映像のジャンル、および背景映像の内容の一部を示すキーワードを特定するジャンルキーワード数値１０１と、背景映像のファイル名を示すファイル名データ１０２と、背景映像の再生時間を秒単位で示す再生時間データ１０３とが対応付けてテーブル形式で複数組設定されている。
【００５１】
ジャンルキーワード数値１０１は、１６進数で登録されており、そのビット構成を説明する図１２（Ａ）に示すように、０ビットから３ビットまでが第２キーワードを示し、４ビットから７ビットまでが第１キーワードを示し、８ビットから１１ビットまでがジャンルを示す。
たとえば、ジャンルキーワード数値１０１が「０２０Ｈ」の背景映像は、ジャンルが「０」であり、第１キーワードが「２」であり、第２キーワードが「０」である背景映像である。
【００５２】
ジャンルの「０」は、ジャンル名、数値および分類との対応関係を説明する図１２（Ｂ）に示すように、ジャンル名が「Ａ」で「演歌一般」という分類に属することを示し、第１キーワードの「２」は、ジャンルＡと第１キーワードとの対応関係を説明する図１３（Ａ）に示すように、「港／船」というキーワードであることを示す。
つまり、ジャンルキーワード数値１０１が「０２０Ｈ」である背景映像の中には、港に停泊する船が登場するシーンが存在することを示す。
また、第２キーワードの「０」は、第１キーワード「港／船」に対する第２キーワードの割り当てを説明する図１４（Ａ）に示すように、「和服」というキーワードであることを示す。
【００５３】
つまり、ジャンルキーワード数値１０１が「０２０Ｈ」である背景映像の中には、港に停泊する船が登場するシーンに加えて、和服の女性が登場するシーンが存在することを示す。
なお、図１３（Ｂ）は、ジャンルＤと第１キーワードとの対応関係を示す説明図であるが、その他のジャンルについても図示しないが同様に第１キーワードとの対応関係が定められている。また、図１４（Ｂ）は、第１キーワード「田舎」に対する第２キーワードの割り当てを示す説明図であり、同図（Ｃ）は、第１キーワード「雑踏」に対する第２キーワードの割り当てを示す説明図であるが、その他の第１キーワードについても図示しないが同様に第２キーワードとの対応関係が定められている。
【００５４】
以上のように、背景映像ファイルテーブル１００には、１つのファイル名に対して１つのジャンルおよび２つのキーワードが対応付けて登録されている。このため、ジャンルという大きな概念で背景映像を指定することもできる他、ジャンルにキーワードを加えることにより、同じジャンルの中の特定の背景映像を指定することもできる。
【００５５】
また、映像管理テーブル用メモリ６０には、図１１（Ａ）に示す番組情報ファイルテーブル１１０が記憶されている。ここに、番組情報とは、アニメーションや映画など、アニメーションや映画の主題歌を歌う場合にのみ再生される背景映像を意味する。番組情報ファイルテーブル１１０には、番組番号データ１１１と、ファイル名データ１１２と、再生時間データ１１３とが対応付けてテーブル形式で複数組設定されている。番組番号データ１１１は、上記ジャンルキーワード数値１０１と同様に１６進数で設定されている。
【００５６】
たとえば、番組番号データ１１１が「２３６Ｈ」で特定される背景映像は、番組情報の割り当てを説明する図１５に示すように、「加山雄二映画」という映画の背景映像である。また、番組番号データ１１１が「２８ＡＨ」で特定される背景映像は、「鉄人アトム」というアニメーションの背景映像である。さらに、番組番号データ１１１が「ＦＦＥＨ」で特定される背景映像は、「札幌時計台」を映した背景映像である。
【００５７】
さらに、映像管理テーブル用メモリ６０には、図１１（Ｂ）に示す親ジャンルテーブル１２０が記憶されている。ここに、親ジャンルとは、図１２（Ｂ）に示したＡからＰまでの各ジャンルが属する大きなジャンルを意味する。親ジャンルテーブル１２０には、ジャンル分類およびその数値を示すジャンル分類データ１２１と、親ジャンルおよびその数値を示す親ジャンルデータ１２２とが対応付けてテーブル形式で設定されている。
たとえば、ジャンル分類データ１２１が「Ａ（０）」で示されるジャンルは、「Ｂ（１）」という親ジャンルに属する。
つまり、「Ａ（０）」なる演歌一般というジャンルは、「Ｂ（１）」なる演歌冬という親ジャンルに属する（図１２（Ｂ））。
【００５８】
そしてさらに、映像管理テーブル用メモリ６０には、図９に示す再生指示テーブル９０が記憶されている。ここに、再生指示テーブルとは、ある曲が選曲された場合に選択される背景映像および再生順序を設定するテーブルを意味する。つまり、背景映像の再生スケジュールが登録されたテーブルを意味する。
再生指示テーブル９０には、再生順序を示す順序データ９１と、再生指示内容を示す再生指示データ９２とが対応付けて設定されている。再生指示テーブル９０に登録される再生指示データ９２は、サーバー２からコマンダ２０へ送信される曲データ１３０を構成する再生方法指示コマンド１６０に含まれており、コマンダ２０からＤＶＤプレーヤ６へ送信される。そのコマンドの構成を図７（Ｄ）から（Ｆ）に示す。
【００５９】
図７（Ｄ）は、ジャンルおよびキーワードにより背景映像の再生方法を指示する再生方法指示コマンドの構成を示し、同図（Ｅ）は、番組番号により番組情報を示す背景映像を指示する再生方法指示コマンドの構成を示し、同図（Ｆ）は、ジャンルおよびキーワードと、番組番号とにより、ジャンルおよびキーワードにより特定される背景映像、および番組番号により特定される背景映像を混在させて指示する再生方法指示コマンドの構成を示す。各再生方法指示コマンドは、ＡＳＣＩＩコードで表され、アルファベット２６文字、数字、幾つかの記号文字で構成される。「ＰＲＯＧ」は、「ＰＲＯＧ」以下の再生指示データを再生指示テーブル９０へ登録指示することを意味し、［ＣＲ］は、コマンドの終わりを意味する。
【００６０】
図７（Ｄ）に示す再生方法指示コマンド１６０は、「ＰＲＯＧ：Ｇ０２０：Ｇ０２Ａ：Ｇ３１０：Ｇ０２４：Ｇ０５０：Ｇ０５４：Ｇ３１３：Ｇ３１Ｄ［ＣＲ］」という再生指示方法を示している。ここで、１文字目の「Ｇ」は、Ｇに付されている３桁の数字が、ジャンルおよびキーワードを指定するものであることを示し、２〜４文字目の３桁の数字は、ジャンルおよびキーワードを示す。
再生方法指示コマンド１６０は、コマンダ２０からＤＶＤプレーヤ６へ送信され、再生方法指示コマンド１６０に示される各データは、図９（Ａ）に示すように先頭のデータ「Ｇ０２０」から順番に再生指示テーブル９０に登録される。
【００６１】
ここに、１番目の「０２０」は、ジャンルが「演歌一般」であり（図１２（Ｂ）参照）、第１キーワードが「港／船」であり（図１３（Ａ）参照）、第２キーワードが「和服」（図１４（Ａ）参照）で特定される背景映像を指定することを示す。２番目の「０２Ａ」は、ジャンルが「演歌一般」であり、第１キーワードが「港／船」であり、第２キーワードが「建物」で特定される背景映像を指定することを示す。３番目の「３１０」は、ジャンルが「ミドルテンポポップス」であり、第１キーワードが「雑踏」であり（図１３（Ｂ）参照）、第２キーワードが「外国」（図１４（Ｃ）参照）で特定される背景映像を指定することを示す。４番目の「０２４」は、ジャンルが「演歌一般」であり、第１キーワードが「港／船」であり、第２キーワードが「男女」で特定される背景映像を指定することを示す。
【００６２】
５番目の「０５０」は、ジャンルが「演歌一般」であり、第１キーワードが「田舎」であり、第２キーワードが「雪」で特定される背景映像を指定することを示す。６番目の「０５４」は、ジャンルが「演歌一般」であり、第１キーワードが「田舎」であり、第２キーワードが「子供」で特定される背景映像を指定することを示す。７番目の「３１３」は、ジャンルが「ミドルテンポポップス」であり、第１キーワードが「雑踏」であり、第２キーワードが「男女」で特定される背景映像を指定することを示す。８番目の「３１Ｄ」は、ジャンルが「ミドルテンポポップス」であり、第１キーワードが「雑踏」であり、第２キーワードが「子供」で特定される背景映像を指定することを示す。
【００６３】
つまり、図９（Ａ）に示す再生指示テーブル９０に登録された再生スケジュールを時系列で説明する図８に示すように、最初に「Ｇ０２０」（演歌一般・港／船・和服）で特定される背景映像が再生され（時刻ｔ１〜ｔ２）、２番目に「Ｇ０２Ａ」（演歌一般・港／船・建物）で特定される背景映像が再生され（ｔ２〜ｔ３）、３番目に「Ｇ３１０」（ミドルテンポポップス・雑踏・外国）で特定される背景映像が再生され（ｔ３〜ｔ４）、４番目に「Ｇ０２４」（演歌一般・港／船・男女）で特定される背景映像が再生され（ｔ４〜ｔ５）、５番目に「Ｇ０５０」（演歌一般・田舎・雪）で特定される背景映像が再生され（ｔ５〜ｔ６）、６番目に「Ｇ０５４」（演歌一般・田舎・子供）で特定される背景映像が再生され（ｔ６〜ｔ７）、７番目に「Ｇ３１３」（ミドルテンポポップス・雑踏・男女）で特定される背景映像が再生され（ｔ７〜ｔ８）、最後に「Ｇ３１Ｄ」（ミドルテンポポップス・雑踏・子供）で特定される背景映像が再生される（ｔ８〜ｔ９）。
【００６４】
また、図７（Ｄ）に示すように、再生方法指示コマンド１６０と共に、基準映像設定コマンド１６２がコマンダ２０からＤＶＤプレーヤ６へ送信される。ここに、基準映像とは、再生方法指示コマンド１６０により指定した背景映像がＤＶＤ６１Ａおよび６２Ａに記憶されておらず、さらにその記憶されていない背景映像に類似する背景映像も記憶されていない場合に、その記憶されていない背景映像に代えて再生するための映像である。基準映像設定コマンド１６２の「ＢＡＳＥ」とは、「ＢＡＳＥ」以下の基準映像データを再生指示テーブル９０の基準映像データ登録領域に登録することを意味する。
つまり、基準映像設定コマンド１６２は、「Ｇ０２０」を再生指示テーブル９０の基準映像データ登録領域に登録することを意味する。そして、再生方法指示コマンド１６０により指定された背景映像のうち、いずれかの背景映像がＤＶＤ６１Ａおよび６２Ａに記憶されていない場合には、その記憶されていない背景映像に代えて「０２０」、つまり「演歌一般・港／船・和服」で特定される背景映像が再生される。
【００６５】
また、図７（Ｅ）に示す再生方法指示コマンド１７０は、「ＰＲＯＧ：Ｐ２３６［ＣＲ］」という再生指示方法を示している。ここで、１文字目の「Ｐ」は、Ｐに付されているデータが、番組番号を指定するものであることを示す。再生方法指示コマンド１７０も、コマンダ２０からＤＶＤプレーヤ６へ送信され、コマンド１７０に示されるデータは、図９（Ｂ）に示すように再生指示テーブル９０に登録される。ここに、「２３６」は、「加山雄二映画」という映画の背景映像を指定することを示す（図１５参照）。
【００６６】
つまり、図９（Ｂ）に示す再生指示テーブル９０に登録された再生指示方法により、「加山雄二映画」という映画の背景映像が再生される。
また、図７（Ｅ）に示すように、再生方法指示コマンド１７０と共に、基準映像設定コマンド１７２がコマンダ２０からＤＶＤプレーヤ６へ送信される。基準映像設定コマンド１７２の基準映像データ「ＦＦＥ」は、図９（Ｂ）に示すように、再生指示テーブル９０の基準映像データ登録領域に登録される。「ＦＦＥ」は、札幌時計台が登場する映像である（図１５参照）。
つまり、再生方法指示コマンド１７０により指定された背景映像のうち、いずれかの背景映像がＤＶＤ６１Ａおよび６２Ａに記憶されていない場合には、その記憶されていない背景映像に代えて「ＦＦＥ」、つまり「札幌時計台」で特定される背景映像が再生される。
【００６７】
さらに、図７（Ｆ）に示す再生方法指示コマンド１８０は、「ＰＲＯＧ：Ｇ０２０：Ｐ２３６：Ｇ３１３：ＰＦＦＥ［ＣＲ］」という再生指示方法を示している。コマンド１８０も、コマンダ２０からＤＶＤプレーヤ６へ送信され、コマンド１８０に示される各データは、図９（Ｃ）に示すように先頭のデータ「Ｇ０２０」から順番に再生指示テーブル９０に登録される。ここに、「０２０」は、「演歌一般・港／船・和服」で特定される背景映像を指定することを示し、「２３６」は、「加山雄二映画」という映画の背景映像を指定することを示し（図１５参照）、「３１３」は、「ミドルテンポポップス・雑踏・男女」で特定される背景映像を指定することを示し、「ＦＦＥ］は、「札幌時計台」を映した背景映像を指定することを示す。
つまり、図９（Ｃ）に示す再生指示テーブル９０に登録された再生指示方法により、最初に「Ｇ０２０」（演歌一般・港／船・和服）で特定される背景映像が再生され、２番目に「Ｐ２３６」（加山雄二映画）という映画の背景映像が再生され、３番目に「Ｇ３１３」（ミドルテンポポップス・雑踏・男女）で特定される背景映像が再生され、４番目に札幌時計台を映した背景映像が再生される。
【００６８】
また、図７（Ｆ）に示すように、再生方法指示コマンド１８０と共に、基準映像設定コマンド１８２がコマンダ２０からＤＶＤプレーヤ６へ送信される。基準映像設定コマンド１８２の基準映像データ「Ｇ３１３」は、図９（Ｃ）に示すように、再生指示テーブル９０の基準映像データ登録領域に登録される。
つまり、再生方法指示コマンド１８０により指定された背景映像のうち、いずれかの背景映像がＤＶＤ６１Ａおよび６２Ａに記憶されていない場合には、その記憶されていない背景映像に代えて「３１３」、つまり「ミドルテンポポップス・雑踏・男女」で特定される背景映像が再生される。
【００６９】
次に、送信器７０の構成についてその外観を示す図５を参照して説明する。
図５に示すように、送信器７０の上面上方には、選曲番号をバックライト付きの液晶で表示する選曲番号表示部７１が設けられており、その下方には、コマンダ２０のカラオケ切替ボタン３５と同じ作用をするカラオケ切替ボタン７２と、コマンダ２０の入力切替ボタン３６と同じ作用をする外部映像ボタン７３と、サーバー２が用意しているテレビゲームを行う状態に切替えるゲームボタン７４とが設けられている。
【００７０】
また、それらボタンの下方には、曲間や曲の再生終了後に拍手や歓声の音を再生するように設定するための拍手ボタン７５と、コマンダ２０に設けられたキーと同じ作用をするフラットキー７６と、シャープキー７７とが設けられており、それらの下方には、コマンダ２０に設けられたものと同じ作用をするテンキー７８と、選曲ボタン７９と、演奏停止ボタン８０と、歌い直しボタン８１と、取り消しボタン８２と、割り込みボタン８３とが設けられている。さらに、割り込みボタン８３の右には、ボーカルメロディーの音量を小さくするマイナスボタン８４と、音量を大きくするプラスボタン８５とが設けられている。
なお、上記各ボタン、または、キーを押すと、その押されたボタン、または、キーの種類を示す光信号が、送信器７０の先端に形成された送信窓８６から送信される。
【００７１】
次に、カラオケ装置１０の一連の動作について図１６ないし図２０を参照して説明する。
図１６は、選曲から曲が演奏されるまでのＣＰＵ４５の処理内容を示すフローチャートであり、図１７は、コマンダ２０から送信されたコマンドの解析処理を行うためにＤＶＤプレーヤ６のＣＰＵ６４により実行されるコマンド解析タスクのフローチャートである。図１８は、ＣＰＵ６４により実行されるＤＶＤを再生するためのＤＶＤ再生タスクのフローチャートであり、図１９は、図１８のステップ３００において実行される再生ファイル選択の処理内容を示すフローチャートであり、図２０は、図１９のステップ３０１において実行される再生ファイル検索の処理内容を示すフローチャートである。
【００７２】
まず、カラオケ装置１０の利用者が、送信器７０の発信窓８６をコマンダ２０に向けて歌いたい曲の選曲番号に対応するテンキー７８を押すと、その押す毎にテンキー７８に対応する数字が選曲番号表示部７１，２３およびモニタ１２，１３に順次表示される。
続いて、最後の数字のテンキー７８を押してから選曲ボタン７９を押すと、選曲が終了したと判定され（ステップ１００）、その選曲された曲の曲データ１３０の送信を要求するリクエスト信号が通信ケーブル１５を介してサーバー２へ送信される（ステップ１２０）。
【００７３】
そして、サーバー２は、複数の曲データが記憶されたハードディスクドライブ（以下、ＨＤＤと称する）１１から上記リクエスト信号に示される選曲番号に対応する曲データ１３０を検索して読出し、その読出された曲データ１３０は、通信ケーブル１５を介してコマンダ２０の通信端子４０を経て通信用モデム４９により受信される（ステップ１４０）。続いて、その受信された曲データ１３０は、通信用モデム４９から出力され、ＲＡＭ４７に一時保存される（ステップ１６０）。続いて、ＲＡＭ４７から曲データ１３０が読出され（ステップ１８０）、この読出された曲データ１３０に含まれる再生方法指示コマンド１６０は、インターフェース５９を介してＤＶＤプレーヤ６へ送信される（ステップ２００）。
【００７４】
ここで、コマンダ２０から送信されるコマンドを解析するためにＣＰＵ６４が実行するコマンド解析タスクの内容を図１７を参照して説明する。
ＣＰＵ６４は、ＤＶＤプレーヤ６の電源が立ち上げられたとき、ＤＶＤ６１Ａ、６２Ａから、背景映像ファイルテーブル１００、番組情報ファイルテーブル１１０および親ジャンルテーブル１２０を読出し、それらの読出された各テーブルを映像管理テーブル用メモリ６０に記憶させる（ステップ２０２）。
【００７５】
続いて、ＣＰＵ６４は、図１８に示すタスクＢ（ＤＶＤ再生タスク）を起動させる（ステップ２０４）。続いて、コマンダ２０から送信されたコマンドを受信し（ステップ２０６）、その受信したコマンドの種類が、再生方法指示コマンド１６０、背景映像の再生開始を指示する再生開始コマンド１４０、背景映像の再生停止を指示する再生停止コマンド１５０（図６（Ｃ）参照）および基準映像設定コマンド（図７参照）のうち、いずれのコマンドであるかを判定する（ステップ２０８）。ここでは、受信したコマンドは、再生方法指示コマンド１６０であるため、ステップ２１０へ進む。
ステップ２１０では、受信した再生方法指示コマンド１６０により示される再生指示内容「Ｇ０２０：Ｇ０２Ａ：Ｇ３１０：Ｇ０２４：Ｇ０５０：Ｇ０５４：Ｇ３１３：Ｇ３１Ｄ」を再生指示テーブル９０に登録する（図９（Ａ）参照）。
【００７６】
次に、ＣＰＵ４５により、基準映像設定コマンド１６２（図７（Ｄ））がＤＶＤプレーヤ６へ送信されると（図１６のステップ４００）、ＣＰＵ６４は、その送信された基準映像設定コマンド１６２を受信し（図１７のステップ２０６）、その受信したコマンドの種類を判定する（ステップ２０８）。ここでは、受信したコマンドは、基準映像設定コマンド１６２であるためステップ２１６へ進み、基準映像データが再生指示テーブル９０に登録される（図９（Ａ））。
【００７７】
次に、ＣＰＵ４５により、再生開始コマンド１４０（図６（Ｂ）参照）がＤＶＤプレーヤ６へ送信されると（図１６のステップ５００）、ＣＰＵ６４は、その送信された再生開始コマンド１４０を受信し（図１７のステップ２０６）、その受信したコマンドの種類を判定する（ステップ２０８）。ここでは、受信したコマンドは、再生開始コマンド１４０であるためステップ２１２へ進み、再生開始メッセージがタスクＢに送られる。
【００７８】
次に、ＣＰＵ６４により実行されるタスクＢ（ＤＶＤ再生タスク）について図１８を参照して説明する。
まず、ＣＰＵ６４は、バッファメモリ６５の記憶内容を消去し（ステップ２１８）、再生開始メッセージが受信されたかが判定される（ステップ２２０）。ここでは、再生開始メッセージを受信しているため、ステップ３００へ進む（ステップ２２０：Ｙｅｓ）。ステップ３００では、再生する背景映像のファイルを選択する処理（再生ファイル選択処理）が実行される。
【００７９】
次に、ＣＰＵ６４により、実行される再生ファイル選択処理について図１９を参照して説明する。
ＣＰＵ６４は、再生指示テーブル９０（図９（Ａ））の１番目に登録されているデータにより示されるファイル名が背景映像ファイルテーブル１００に記憶されているかを検索するための再生ファイル検索を実行する（ステップ３０１）。
ここで、ＣＰＵ６４による再生ファイル検索の処理内容を図２０を参照して説明する。
まず、再生指示テーブルの１番目に登録されたデータの１文字目が「Ｐ」であるか「Ｇ」であるかを判定し、「Ｐ」である場合はステップ３２６へ進み、「Ｇ」である場合はステップ３０４へ進む。ここでは、図９（Ａ）に示すように、１文字目は「Ｇ」であるためステップ３０４へ進み、２文字目から４文字目の３桁が示す「０２０」が背景映像ファイルテーブル１００に登録されていないか検索する。
【００８０】
続いて、その検索の結果、「０２０」と同じ３桁があった場合は（ステップ３０６：Ｙｅｓ）、その３桁「０２０」が一致する総てのファイル名をテンポラリファイルリストに登録する（ステップ３０８）。ここに、テンポラリファイルリストとは、上記検索の結果、読出されたファイル名を登録するために映像管理テーブル用メモリ６０に設定されたリストを意味する。ここでは、「０２０」と一致するファイル名は、図１０の背景映像ファイルテーブル１００に示すように、「５８９６．ＶＯＢ」および「０Ａ８９．ＶＯＢ」の２つ存在するため、その２つのファイル名がテンポラリファイルリストに登録される（ステップ３０８）。
【００８１】
そして、ＣＰＵ６４は、テンポラリファイルリストに登録されたファイル名があるかを判定する（図１９のステップ３４０）。ここでは、上記２つのファイル名がテンポラリファイルリストに登録されているため、ステップ３５６へ進み（ステップ３４０：Ｙｅｓ）、上記２つのファイル名から１つのファイル名をランダムに選択し、この選択したファイル名を映像管理テーブル用メモリ６０に再生中ファイルとして登録する（ステップ３５６）。
一方、ステップ３０４において、「０２０」と一致するファイル名を検索できなかった場合は（ステップ３０６：Ｎｏ）、２文字目および３文字目の２桁が「０２」と一致するファイル名を検索し（ステップ３１０）、「０２」と一致するファイル名が存在する場合は（ステップ３１２：Ｙｅｓ）、そのファイル名をテンポラリファイルリストに登録する（ステップ３１４）。
【００８２】
たとえば、背景映像ファイルテーブル１００には、３桁が「０２０」と一致するファイル名が登録されていないとすると、「０２」と一致する「０２２Ｈ」から「０２ＡＨ」までのジャンルキーワード数値に対応付けられた「１２３６．ＶＯＢ」から「６７８９．ＶＯＢ」までの計９個のファイル名がテンポラリファイルリストに登録される（ステップ３１４）。そして、それらのファイル名の中から１つのファイル名がランダムに選択され、この選択されたファイル名が再生中ファイルとして登録される（ステップ３５６）。
つまり、「０２」（演歌一般・港／船）で特定される背景映像のファイル名が再生中ファイルとして登録される。
【００８３】
このように、「演歌一般・港／船・和服」で特定される背景映像がＤＶＤ６１ＡおよびＤＶＤ６２Ａに記憶されていない場合であっても、その記憶されていない背景映像と類似する背景映像「演歌一般・港／船」で特定される背景映像を選択することができる。
また、ステップ３１０において、「０２」と一致するファイル名を検索できなかった場合は（ステップ３１２：Ｎｏ）、２文字目の１桁が「０」であるファイル名を検索し（ステップ３１６）、２文字目の１桁が「０」であるファイル名が存在する場合は（ステップ３１８：Ｙｅｓ）、そのファイル名をテンポラリファイルリストに登録する（ステップ３２０）。
【００８４】
たとえば、背景映像ファイルテーブル１００には、２文字目および３文字目の２桁が「０２」と一致するファイル名が登録されていないとすると、２文字目の１桁に「０」を有する「０５０Ｈ」から「０５４Ｈ」までのジャンルキーワード数値に対応付けられた「８９５９．ＶＯＢ」から「Ｅ４５８．ＶＯＢ」までの計３個のファイル名がテンポラリファイルリストに登録される（ステップ３２０）。そして、それらのファイル名の中から１つのファイル名がランダムに選択され、この選択されたファイル名が再生中ファイルとして登録される（ステップ３５６）。
つまり、「０」（演歌一般）で特定される背景映像のファイル名が再生中ファイルとして登録される。
【００８５】
このように、「演歌一般・港／船」で特定される背景映像がＤＶＤ６１ＡおよびＤＶＤ６２Ａに記憶されていない場合であっても、その記憶されていない背景映像と類似する背景映像「演歌一般」で特定される背景映像を選択することができる。
さらに、ステップ３１６において、２文字目の１桁に「０」を有するファイル名を検索できなかった場合は（ステップ３１８：Ｎｏ）、「０」に対応する親ジャンルの中から１つのファイル名をランダムに選択し（ステップ３２２）、テンポラリファイルリストに登録する（ステップ３２４）。
【００８６】
つまり、「０」で示されるジャンル「Ａ」に対応する親ジャンルは、「Ｂ」であるから（図１１（Ｂ）参照）、親ジャンル「Ｂ」に属するファイル名の中から１つのファイル名をランダムに選択してテンポラリファイルリストに登録し（ステップ３２４）、その登録されたファイル名を再生中ファイルとして登録する（ステップ３５６）。
このように、「演歌一般」で特定される背景映像がＤＶＤ６１ＡおよびＤＶＤ６２Ａに記憶されていない場合であっても、その記憶されていない背景映像と類似する背景映像「演歌冬」で特定される背景映像を選択することができる。
【００８７】
ここでは、ステップ３２４において、「５８９６．ＶＯＢ」および「０Ａ８９．ＶＯＢ」の２つのファイル名がテンポラリファイルリストに登録されたものとする。
そして、ＣＰＵ６４は、図１９に示す再生ファイル選択処理に戻り、テンポラリファイルリストにファイル名が登録されているかを判定する（ステップ３４０）。ここでは、ステップ３２４において「５８９６．ＶＯＢ」および「０Ａ８９．ＶＯＢ」の２つのファイル名がテンポラリファイルリストに登録されているため、ステップ３５６へ進み（ステップ３４０：Ｙｅｓ）、テンポラリファイルリストに登録された上記２つのファイル名のいずれか一方が選択される。ここでは、「５８９６．ＶＯＢ」のファイル名が選択されたものとする。
【００８８】
そして、ＣＰＵ６４は、ファイル名「５８９６．ＶＯＢ」に対応する背景映像データをＤＶＤ６１Ａ、または、ＤＶＤ６２Ａから読出し、この読出した背景映像データをバッファメモリ６５に転送する（図１８のステップ３８０）。続いて、その転送された背景映像データは、バッファメモリ６５に一時保存された後に、ＭＰＥＧデコーダ回路６６へ出力され、このＭＰＥＧデコーダ回路６６によって背景映像信号に変換される。
読出した背景映像データをバッファメモリ６５に一時保存するのは、ＭＰＥＧデコーダ回路６６が背景映像データを映像信号に変換する速度よりも、ＤＶＤドライブが背景映像データを読出す速度の方が速く、ＭＰＥＧデコーダ回路６６のデータ変換が背景映像データの読出に追従できないことから、所定量の背景映像データが背景映像信号に変換されるまで、読出された背景映像データを一時保存するためである。
【００８９】
そして、ＭＰＥＧデコーダ回路６６から出力された背景映像信号は、映像出力端子６７を介してコマンダ２０の映像入力端子５８を経て映像制御回路５４に入力される。この入力された映像信号は、映像制御回路５４により、モニタ１２，１４に表示するための映像信号に変換され、映像出力端子４２，４３を介してモニタ１２，１４へ出力され、図２５に示すように、背景映像３００が表示される。ここでは、上記ランダムに選択されたファイル名に対応付けられたジャンルキーワード数値１０１は、「０２０」であるから、「演歌一般・港／船・和服」で特定される背景映像がモニタ１２，１４に表示される。また、ファイル名「５８９６．ＶＯＢ」に対応付けられた再生時間データ１０３は、３０秒であるため（図１０参照）、上記背景映像は、モニタ１２，１４に３０秒間表示される。
【００９０】
続いて、ファイル名が「５８９６．ＶＯＢ」の背景映像データの読出が終了すると（ステップ３８２：Ｙｅｓ）、ステップ３８４へ進み、最後の背景映像データの読出が終了したかが判定される。ここでは、まだ１番目の背景映像データの読出が終了しただけであり、残る７つの背景映像データの読出が終了していないため、ステップ３８４では否定判定され、ステップ３００へ戻る。そして、図９（Ａ）の再生指示テーブル９０の２番目に登録されている再生指示データ「Ｇ０２Ａ」に対して上記ステップ３０１ないしステップ３２６を実行する。
【００９１】
ここでは、２番目の再生指示データは、「Ｇ０２Ａ」であるから、背景映像ファイルテーブル１００から「Ｆ５６５．ＶＯＢ」および「６７８９．ＶＯＢ」の２つのファイル名がテンポラリファイルリストに登録され（ステップ３０８）、そのうちの１つのファイル名が選択され（ステップ３５６）、再生される（ステップ３８０、３８２）。この場合、ジャンルキーワード数値１０１は、「０２Ａ」であるから、「演歌一般・港／船・建物」で特定される背景映像がモニタ１２，１４に表示される。
【００９２】
そして、上記２番目の背景映像データの読出が終了すると（ステップ３８２：Ｙｅｓ）、ステップ３００に戻り（ステップ３８４：Ｎｏ）、図９（Ａ）の再生指示テーブル９０に登録されている３番目の再生指示データ「Ｇ３１０」に対してステップ３０１ないしステップ３２６を実行し、ステップ３５６で選択したファイル名の背景映像データを再生する（ステップ３８０、３８２）。この場合、「３１０」に対応付けられたファイル名は「７Ｃ５６．ＶＯＢ」であるから、この「７Ｃ５６．ＶＯＢ」に対応する背景映像データが読出されて再生される。
つまり、モニタ１２，１４には、「３１０」により示される「ミドルテンポポップス・雑踏・外国」の背景映像が表示される。
【００９３】
以降、図９（Ａ）の再生指示テーブル９０に登録されている３番目から８番目の再生指示データに対しても上記ステップ３０１ないしステップ３２６を繰り返し、ステップ３５６で選択されたファイル名に対応する背景映像を順次再生する（ステップ３８０、３８２）。
その場合、８番目に読出された背景映像データは、最後の背景映像データであるため、ステップ２１８へ戻り（ステップ３８４：Ｙｅｓ）、バッファメモリ６５の記憶内容を消去し、コマンダ２０から送信されるコマンドの受信を待つ。
【００９４】
ところで、新しい背景映像が制作された場合に、その新しい背景映像を示す背景映像データがＤＶＤ６１ＡおよびＤＶＤ６２Ａに記憶されていないと、上記新しい背景映像の再生を指定する再生方法指示コマンド１６０を受信しても、その指定された新しい背景映像を再生することができない。また、ＤＶＤに傷が付いているために背景映像を再生できない場合がある。
そこで、本実施形態のＤＶＤプレーヤ６は、そのような場合に上記再生できない背景映像に代わる背景映像を再生できることを特徴としており、それを実現するためにＣＰＵ６４は、以下に記載する処理を実行する。
上記理由により、背景映像を再生できない場合は、テンポラリファイルリストにファイル名が登録されないため、ステップ３４２へ進み（ステップ３４０：Ｎｏ）、上記記憶されていない背景映像が、記憶されていたとした場合に再生されるべき順序の１つ前に再生される背景映像の再生を指示する再生指示データについて上記ステップ３０２ないしステップ３２４の再生ファイル検索を実行する（ステップ３４２）。
【００９５】
たとえば、図９（Ａ）の再生指示テーブル９０に登録された８個の再生指示データのうち、３番目の再生指示データ「Ｇ３１０」に対応するファイル名の背景映像データがＤＶＤ６１ＡおよびＤＶＤ６２Ａに記憶されていないとすると、３番目の１つ前の２番目の再生指示データ「Ｇ０２Ａ」に対してステップ３０２ないしステップ３２４を実行し、その結果検索されたファイル名をテンポラリファイルリストに登録する（ステップ３４２）。そして、テンポラリファイルリストにファイル名が登録されている場合は（ステップ３４４：Ｙｅｓ）、その登録されているファイル名から１つのファイル名をランダムに選択し（ステップ３５６）、その選択したファイル名の背景映像データを再生する（ステップ３８０、３８２）。
たとえば、「Ｇ０２Ａ」に対応するファイル名「Ｆ５６５．ＶＯＢ」が選択された場合は、上記記憶されていない３番目の背景映像に代えて、「Ｇ０２Ａ」（演歌一般・港／船・建物）で特定される背景映像が再生される。
【００９６】
また、ステップ３４２における検索によってファイル名を検索できなかった場合は（ステップ３４４：Ｎｏ）、３番目の１つ後の４番目の再生指示データ「Ｇ０２４」に対してステップ３０２ないしステップ３２４を実行し、その結果検索されたファイル名をテンポラリファイルリストに登録する（ステップ３４６）。そして、テンポラリファイルリストにファイル名が登録されている場合は（ステップ３４８：Ｙｅｓ）、その登録されているファイル名から１つのファイル名をランダムに選択し（ステップ３５６）、その選択したファイル名の背景映像データを再生する（ステップ３８０、３８２）。
たとえば、「Ｇ０２４」に対応するファイル名「Ｅ７８９．ＶＯＢ」が選択された場合は、上記記憶されていない３番目の背景映像に代えて、「Ｇ０２４」（演歌一般・港／船・男女）で特定される背景映像が再生される。
【００９７】
さらに、ステップ３４６における検索によってファイル名を検索できなかった場合は（ステップ３４８：Ｎｏ）、図９（Ａ）の再生指示テーブル９０に登録された基準映像設定データ「Ｇ０２０」に対してステップ３０２ないしステップ３２４を実行し、その結果検索されたファイル名をテンポラリファイルリストに登録する（ステップ３５０）。そして、テンポラリファイルリストにファイル名が登録されている場合は（ステップ３５２：Ｙｅｓ）、その登録されているファイル名から１つのファイル名をランダムに選択し（ステップ３５６）、その選択したファイル名の背景映像データを再生する（ステップ３８０、３８２）。
たとえば、「Ｇ０２０」に対応するファイル名「０Ａ８９．ＶＯＢ」が選択された場合は、上記記憶されていない３番目の背景映像に代えて、「Ｇ０２０」（演歌一般・港／船・和服）で特定される背景映像が再生される。
【００９８】
なお、ステップ３５０における検索によってファイル名を検索できなかった場合は（ステップ３５２：Ｎｏ）、ＤＶＤプレーヤ６の前面パネルに設けられた図示しない液晶表示部にエラー表示を行ってＤＶＤプレーヤ６を作動停止状態にする（ステップ３５４）。この場合、ＤＶＤプレーヤ６を作動停止状態にしないでモニタ１２、１４に「指定された背景映像が記憶されていませんので、そのまま次の背景映像が表示されるまでお待ちください。」などのメッセージを表示し、上記記憶されていない背景映像の次の背景映像が表示されるまで待機する構成にすることもできる。また、その待機している間、モニタ１２、１４の映像入力をサーバー２が用意している新曲情報などのサービス情報に切替えるように構成することもできる。
【００９９】
ところで、これまでは、再生指示テーブル９０に登録された再生指示データに基づいて最後の背景映像を再生するまでの過程を説明したが、実際には、最初の背景映像が再生される際に曲が演奏され、歌詞テロップがモニタ１２，１４に表示される。
以下、曲データ１３０を構成する歌詞テロップデータ１３２および演奏データ１３３（図６（Ａ））の再生などについて図１６を参照して説明する。
コマンダ２０のＲＡＭ４７から読出された曲データ１３０に含まれる演奏データ１３３を構成するＭＩＤＩデータは、シーケンサ５１に取り込まれ、タイマ５３のカウントにしたがってＭＩＤＩ音源５２に書き込まれる。そして、ＭＩＤＩ音源５２から出力される音源信号は、音声制御回路５０へ出力され、アンプ１６により増幅可能な音楽信号に変換され、この変換された音楽信号は、アンプ１６へ出力される。そして、その出力された音楽信号は、アンプ１６で設定された音量に増幅された後にスピーカ１３，１３へ出力され、スピーカ１３，１３によって演奏音として再生される（ステップ５２０）。
【０１００】
また、曲データ１３０に含まれる歌詞テロップデータ１３２に対応するフォントデータが、フォントＲＯＭ４４から読み出され、この読出されたフォントデータはビットマップデータに展開され、ビデオＲＡＭ４８に保存される。続いて、そのビットマップデータは、映像制御回路５４へ出力されるとともに、その映像制御回路５４により、モニタ１２，１４に表示可能な表示信号に変換され、図１８に示すように、モニタ１２，１４に歌詞テロップ３０２が表示される。（ステップ５４０）
【０１０１】
また、マイクロフォン１７，１８から入力された音声信号は、アンプ１６において上記音楽信号とミキシングされ、このミキシングされたミキシング信号は、音声出力端子４１からアンプ１６へ出力される。そして、その出力されたミキシング信号は、アンプ１６で設定された音量に増幅された後にスピーカ１３，１３へ出力され、スピーカ１３，１３によってミキシング音として再生される。
つまり、利用者は、自分の選んだ曲をモニタ１２，１４の画面に映し出された背景映像３００および歌詞テロップ３０２を見ながらマイクロフォン１７、または、マイクロフォン１８を通して歌う（カラオケする）ことができる。
【０１０２】
そして、曲データ１３０の再生が終了すると（ステップ５６０：Ｙｅｓ）、背景映像の再生停止を指示する再生停止コマンド１５０（図６（Ｃ））がＤＶＤプレーヤ６へ送信される（ステップ５８０）。ＤＶＤプレーヤ６は、再生停止コマンド１５０を受信すると（図１７のステップ２０６）、コマンドの種類を再生停止コマンドであると判定し（ステップ２０８）、再生停止メッセージをタスクＢに送る（ステップ２１４）。続いて、ＣＰＵ６４は、タスクＢにおいて、再生停止メッセージを受け取ったことを判定し、再生ファイルの選択を中止する（ステップ２２０：Ｎｏ）。
【０１０３】
一方、ＣＰＵ４５は、ＲＡＭ４７に予約された選曲番号データが記憶されているかを判定し（図１６のステップ６００）、記憶されている場合は（ステップ６００：Ｙｅｓ）、その記憶されている選曲番号データをＲＡＭ４７から読出し（ステップ６２０）、ステップ１００ないしステップ５８０を実行して予約曲を再生する。
【０１０４】
以上のように、本第１実施形態のＤＶＤプレーヤ６によれば、再生方法指示コマンド１６０により再生が指示された背景映像の中に、ＤＶＤ６１ＡおよびＤＶＤ６２Ａに記憶されていない背景映像が存在しても、その記憶されていない背景映像と類似する類似背景映像がＤＶＤ６１Ａ、または、ＤＶＤ６２Ａに記憶されていないかを検索し、その検索された類似背景映像を再生することができる。
しかも、その検索によっても上記類似背景映像を検索できなかった場合は、上記記憶されていない背景映像データが記憶されているとした場合に再生される順序の前後に再生されるべき背景映像のいずれか、または、その背景映像と類似する類似背景映像を再生することができる。
【０１０５】
さらに、上記順序の前後には、上記記憶されていない背景映像、または、その背景映像に類似する類似背景映像がＤＶＤ６１ＡおよびＤＶＤ６２Ａに記憶されていない場合は、再生指示テーブル９０に登録された基準映像設定データにより示される基準映像を再生することができる。
つまり、新しい背景映像をＤＶＤ６１ＡおよびＤＶＤ６２Ａが記憶していない場合に、その新しい背景映像の再生を指定する曲データ１３０を受信した場合であっても、その記憶されていない背景映像と類似する背景映像を再生できる。
したがって、モニタ１２，１４に背景映像が表示されないことにより、カラオケをする楽しみを損ねたり、カラオケをしている場の雰囲気に水を差したりするという事態を回避できる。
【０１０６】
なお、上記第１実施形態では、曲データ１３０に再生方法指示コマンダ１６０が含まれる場合を説明したが、図７（Ｅ）に示す再生方法指示コマンダ１７０、または、同図（Ｆ）に示す再生方法指示コマンダ１８０により、背景映像の再生方法が指示される場合も、ＣＰＵ４５およびＣＰＵ６４により上記各ステップが実行される。
再生方法指示コマンダ１７０の場合は、再生指示データ「Ｐ２３６」により特定される「加山雄二映画」という映画の背景映像が再生されるが（図１５参照）、同じ背景映像が記憶されていない場合は、それと類似する映画の背景映像などが再生され、その類似する背景映像も記憶されていない場合は、基準映像設定コマンダ１７２の再生指示データ「ＰＦＦＥ」により特定される「札幌時計台」という基準映像が再生される（図１５参照）。
【０１０７】
また、再生方法指示コマンダ１８０の場合も、その再生指示データ「Ｇ０２０：Ｐ２３６：Ｇ３１３：ＰＦＦＥ」の中のいずれかの再生指示データに対応する背景映像データが記憶されていない場合は、上記再生方法指示コマンダ１６０の場合と同様に、その記憶されていない背景映像と類似する背景映像が検索され、検索できなかった場合は、基準映像設定コマンド１８２の再生指示データ「Ｇ３１３」により特定される「ミドルテンポポップス・雑踏・男女」という背景映像が再生される。
【０１０８】
次に、本発明第２実施形態の映像再生装置について図２１を参照して説明する。図２１は、図１８に示すＤＶＤ再生タスクのステップ３００においてＣＰＵ６４により実行される再生ファイル選択処理を示すフローチャートである。
本第２実施形態の映像再生装置は、再生を指定された複数の背景映像の中に記憶されていない背景映像が存在する場合に、その記憶されていない背景映像が記憶されているとした場合に再生されるべき順序の前後に再生される背景映像を上記記憶されていない背景映像に代えて再生できることを特徴とする。
【０１０９】
なお、図２１に示すＣＰＵ６４により実行される処理内容を除いて映像再生装置たるＤＶＤプレーヤ６の構成およびカラオケ装置１０の構成は、上記第１実施形態と同一であるため、それらの説明は省略する。また、上記第１実施形態と同一の再生方法指示コマンド１６０および基準映像設定コマンド１６２が、コマンダ２０からＤＶＤプレーヤ６へ送信されるものとし、再生方法指示コマンド１６０に示される８個の再生指示データ「Ｇ０２０：Ｇ０２Ａ：Ｇ３１０：Ｇ０２４：Ｇ０５０：Ｇ０５４：Ｇ３１３：Ｇ３１Ｄ」の中の３番目の再生指示データ「Ｇ３１０」により示される背景映像がＤＶＤ６１ＡおよびＤＶＤ６２Ａに記憶されていないものとする。
【０１１０】
ＣＰＵ６４は、１番目の再生指示データ「Ｇ０２０」についてステップ３０２ないしステップ３２４の検索を実行し（ステップ３０１）、その検索の結果、テンポラリファイルリストにファイル名が登録されている場合は（ステップ３６０：Ｙｅｓ）、その登録されているファイル名から１つのファイル名をランダムに選択し（ステップ３７３）、再生する（ステップ３８０、３８２）。そして、２番目の再生指示データ「Ｇ０２Ａ」についても、ステップ３０１、ステップ３６０およびステップ３７３を実行してファイル名を選択し、再生する（ステップ３８０、３８２）。
【０１１１】
そして、ここでは３番目の再生指示データ「Ｇ３１０」により示される背景映像およびその背景映像に類似する背景映像がＤＶＤ６１ＡおよびＤＶＤ６２Ａに記憶されていないためステップ３６１へ進み（ステップ３６０：Ｎｏ）、その記憶されていない背景映像が、記憶されていたとした場合に再生されるべき順序の１つ前に再生される背景映像の再生を指示する再生指示データに対して上記ステップ３０２ないしステップ３２４の再生ファイル検索を実行する（ステップ３６１）。
つまり、２番目の再生指示データ「Ｇ０２Ａ」に対して上記再生ファイル検索を実行する（ステップ３６１）。
続いて、その検索によっても所定のファイル名を検索できなかった場合は（ステップ３６２：Ｎｏ）、上記記憶されていない背景映像が、記憶されていたとした場合に再生されるべき順序の１つ後に再生される背景映像の再生を指示する再生指示データについて上記ステップ３０２ないしステップ３２４の再生ファイル検索を実行する（ステップ３６３）。
つまり、４番目の再生指示データ「Ｇ０２４」に対して上記再生ファイル検索を実行する（ステップ３６１）。
【０１１２】
続いて、その検索によっても所定のファイル名を検索できなかった場合は（ステップ３６４：Ｎｏ）、上記記憶されていない背景映像が、記憶されていたとした場合に再生されるべき順序の２つ前に再生される背景映像の再生を指示する再生指示データについて上記ステップ３０２ないしステップ３２４の再生ファイル検索を実行する（ステップ３６５）。
つまり、３番目の再生指示データ「Ｇ３１０」の２つ前（１番目）の再生指示データ「Ｇ０２０」について上記ステップ３０２ないしステップ３２４の再生ファイル検索を実行し、その検索されたファイル名をテンポラリファイルリストに登録し（ステップ３６５）、その登録された中から１つのファイル名をランダムに選択する（ステップ３７３）。
【０１１３】
たとえば、その登録されたファイル名が「０Ａ８９．ＶＯＢ」であるとすると、「Ｇ０２０」（演歌一般・港／船・和服）で特定される背景映像が再生される（ステップ３８０、３８２）。
また、ステップ３６５においてファイル名を検索できなかった場合は（ステップ３６６：Ｎｏ）、ステップ３６７へ進み、上記記憶されていない背景映像が、記憶されていたとした場合に再生されるべき順序の２つ後に再生される背景映像の再生を指示する再生指示データについて上記ステップ３０２ないしステップ３２４の再生ファイル検索を実行する（ステップ３６７）。
【０１１４】
つまり、３番目の再生指示データ「Ｇ３１０」の２つ後（５番目）の再生指示データ「Ｇ０５０」について上記ステップ３０２ないしステップ３２４の再生ファイル検索を実行し、その検索されたファイル名をテンポラリファイルリストに登録し（ステップ３６７）、その登録された中から１つのファイル名をランダムに選択する（ステップ３７３）。
たとえば、その登録されたファイル名が「８９５９．ＶＯＢ」であるとすると、「Ｇ０５０」（演歌一般・田舎・和服）で特定される背景映像が再生される（ステップ３８０、３８２）。
【０１１５】
また、ステップ３６７においてファイル名を検索できなかった場合は（ステップ３６８：Ｎｏ）、図９（Ａ）の再生指示テーブル９０に登録された基準映像設定データ「Ｇ０２０」に対応するファイル名を検索し、テンポラリファイルリストに登録する（ステップ３６９）。そして、テンポラリファイルリストにファイル名が登録されている場合は（ステップ３７１：Ｙｅｓ）、その登録されているファイル名から１つのファイル名をランダムに選択し（ステップ３７３）、再生する（ステップ３８０、３８２）。
たとえば、その登録されたファイル名が「０Ａ８９．ＶＯＢ」であるとすると、「Ｇ０２０」（演歌一般・港／船・和服）で特定される背景映像が再生される（ステップ３８０、３８２）。
なお、ステップ３６９においてファイル名を検索できなかった場合は（ステップ３７１：Ｎｏ）、上記第１実施形態と同じエラー表示を行い、ＤＶＤプレーヤ６を作動停止状態にする（ステップ３７２）。また、ＤＶＤプレーヤ６を作動停止状態にしないで上記第１実施形態と同じメッセージなどをモニタ１２，１４に表示する。
【０１１６】
以上のように、本第２実施形態のＤＶＤプレーヤ６によれば、再生方法指示コマンド１６０により再生が指示された背景映像の中に、ＤＶＤ６１ＡおよびＤＶＤ６２Ａに記憶されていない背景映像が存在する場合に、その記憶されていない背景映像と類似する類似背景映像が、上記記憶されていない背景映像が記憶されているとした場合に再生されるべき順序の前後に存在しなかった場合であっても、上記類似背景映像を上記順序の２つ前および２つ後に存在するかを検索して再生することができる。
なお、上記第２実施形態では、上記順序の２つ前および２つ後までを検索したが、上記類似背景映像が見付かるまで最初（１番目）および最後（８番目）まで検索する構成にすることもできる。
【０１１７】
また、上記ステップ３６９では、上記順序の前後２つまで検索しても上記類似背景映像が存在しない場合に基準映像設定データに対応するファイル名を検索したが、図２２に示すように、上記記憶されていない背景映像の親ジャンルからファイル名を選択し（ステップ３７０）、その選択によりテンポラリファイルリストに登録されたファイル名から１つのファイル名をランダムに選択する構成にすることもできる（ステップ３７１：Ｙｅｓ、ステップ３７３）。
たとえば、上記記憶されていない背景映像のファイル名が「０Ａ８９．ＶＯＢ」であるとすると、そのジャンルキーワード数値１０１は「０２４」であり、ジャンルは、演歌一般（Ａ）であるから（図１２（Ｂ））、その親ジャンルである演歌冬（Ｂ）（図１１（Ｂ））に属するファイル名から１つのファイル名をランダムに選択する。
【０１１８】
さらに、上記各実施形態では、記憶されていない背景映像に類似する類似背景映像を、上記記憶されていない背景映像が記憶されているとした場合に再生されるべき順序の前後方向に検索したが、図２３に示すように、その前後方向への検索を実行しないで、記憶されていない背景映像の親ジャンルの中から所定数のファイル名を選択し（ステップ３４３）、テンポラリファイルリストに登録されたファイル名から１つのファイル名をランダムに選択する（ステップ３４４、３５６）構成にすることもできる。
【０１１９】
また、上記各実施形態では、記憶されていない背景映像と類似する類似背景映像を、その記憶されていない背景映像が記憶されているとした場合に再生されるべき順序の前後方向に検索する構成を採用したが、図２４に示すように、ステップ３０１においてファイル名を検索できなかった場合は（ステップ３４０：Ｎｏ）、上記順序の１つ前に再生される背景映像を選択し（ステップ３４１）、その選択もできない場合は（ステップ３４４：Ｎｏ）、上記順序の１つ後に再生される背景映像を選択し（ステップ３４５）、再生する構成にすることもできる。
【０１２０】
ところで、カラオケ装置に用いる映像再生装置において複数の背景映像を再生する場合は、相互に類似する背景映像を順次再生するため、記憶されていない背景映像に代えて、その記憶されていない背景映像が記憶されているとした場合に再生される順序の前後に再生される背景映像のいずれか一方を選択しても、上記記憶されていない背景映像と類似する背景映像を選択できる。
そこで、再生指示データにより指定された背景映像そのものがＤＶＤ６１ＡおよびＤＶＤ６２Ａに記憶されていない場合は、その記憶されていない背景映像に類似する類似背景映像を検索しないで、その記憶されていない背景映像が記憶されているとした場合に再生されるべき順序の前後に再生される背景映像のいずれか一方を選択する構成にすることができる。
【０１２１】
つまり、ステップ３０６において、再生指示データと同じ３桁のジャンルキーワード数値１０１を有するファイル名が存在しない場合は、ステップ３１０以降へ進まずに、図２４のステップ３４１へ進むように構成する。
なお、上記各実施形態では、１つのジャンルおよび２つのキーワードにより特定されるファイル名が背景映像ファイルテーブル１００に登録されている場合を説明したが、１つのジャンルおよび３つ以上のキーワード、または、ジャンルのないキーワードのみで特定されるファイル名が背景映像ファイルテーブル１００に登録されている場合にも本発明を適用することができる。
【０１２２】
この場合、図２０に示す再生ファイル検索処理では、ジャンルおよびキーワードの文字数に対応した桁数分の処理が実行されることになる。
なお、上記各実施形態では、本発明の映像再生装置としてカラオケ装置に備えられたＤＶＤプレーヤを代表に説明したが、カラオケ装置以外に用いられるＤＶＤプレーヤ、ＣＤ−ＲＯＭプレーヤなどにも適用することもできる。
【０１２３】
ところで、ＣＰＵ４５により実行されるステップ２００、ステップ４００およびステップ５００（図１６）と、ＣＰＵ６４により実行されるステップ２０２からステップ２１６（図１７）と、ステップ２１８からステップ３８４（図１８）およびステップ３０１からステップ３５６（図２４）が、請求項１に記載の再生手段として機能する。
また、コマンダ２０、アンプ１６およびスピーカ１３，１３が、請求項５に記載の楽曲情報再生手段に相当する。
【０１２４】
【発明の効果】
以上のように本発明によれば、複数の映像情報を所定の順序で再生する場合は、相互に類似する映像を示す映像情報を所定の順序で再生する場合が多いため、所定の映像情報が映像情報記憶手段に記憶されていない場合であっても、上記所定の映像情報が再生される順序の前後のいずれかの順序で再生される映像情報を再生することにより、上記の記憶されていない所定の映像情報により示される映像と類似する映像を再生することができる。
【図面の簡単な説明】
【図１】  本発明実施形態のカラオケ装置の外観説明図である。
【図２】  （Ａ）は、カラオケ装置に備えられたコマンダの前面パネルの説明図であり、（Ｂ）は、コマンダの背面パネルの説明図である。
【図３】  コマンダの制御系の構成をブロックで示す説明図である。
【図４】  ＤＶＤプレーヤの構成および機能をブロックで示す説明図である。
【図５】  カラオケ装置に備えられた送信器の説明図である。
【図６】  （Ａ）は曲データの主要構成をブロックで示す説明図であり、（Ｂ）は再生開始コマンドの構成を表す説明図であり、（Ｃ）は再生停止コマンドの構成を表す説明図である。
【図７】  （Ｄ）はジャンルおよびキーワードにより背景映像の再生方法を指示する再生方法指示コマンドの構成を示す説明図であり、（Ｅ）は番組番号により番組情報を示す背景映像を指示する再生方法指示コマンドの構成を示す説明図であり、（Ｆ）はジャンルおよびキーワードと、番組番号とにより、ジャンルおよびキーワードにより特定される背景映像、および番組番号により特定される背景映像を混在させて指示する再生方法指示コマンドの構成を示す説明図である。
【図８】  図９（Ａ）に示す再生指示テーブル９０に登録された再生スケジュールを時系列で示す説明図である。
【図９】  （Ａ）は再生方法指示コマンド１６０および基準映像設定コマンド１６２により示される再生指示データおよび基準映像設定データが登録された再生指示テーブルの構成を示す説明図であり、（Ｂ）は再生方法指示コマンド１７０および基準映像設定コマンド１７２により示される再生指示データおよび基準映像設定データが登録された再生指示テーブルの構成を示す説明図であり、（Ｃ）は再生方法指示コマンド１８０および基準映像設定コマンド１８２により示される再生指示データおよび基準映像設定データが登録された再生指示テーブルの構成を示す説明図である。
【図１０】  背景映像ファイルテーブルの構成を示す説明図である。
【図１１】  （Ａ）は番組情報ファイルテーブルの構成を示す説明図であり、（Ｂ）は親ジャンルテーブルの構成を示す説明図である。
【図１２】  （Ａ）はジャンルキーワード数値のビット構成を示す説明図であり、（Ｂ）はジャンル名、数値および分類との対応関係を示す説明図である。
【図１３】  （Ａ）はジャンルＡと第１キーワードとの対応関係を示す説明図であり、（Ｂ）はジャンルＡと第１キーワードとの対応関係を示す説明図である。
【図１４】  （Ａ）は第１キーワード「港／船」に対する第２キーワードの割り当てを示す説明図であり、（Ｂ）は第１キーワード「田舎」に対する第２キーワードの割り当てを示す説明図であり、（Ｃ）は第１キーワード「雑踏」に対する第２キーワードの割り当てを示す説明図である。
【図１５】  番組情報の割り当てを示す説明図である。
【図１６】  本発明第１実施形態のＣＰＵ４５により実行される選曲から予約曲の再生までの制御内容を示すフローチャートである。
【図１７】  本発明第１実施形態のＣＰＵ６４により実行されるコマンド解析タスクを示すフローチャートである。
【図１８】  本発明第１実施形態のＣＰＵ６４により実行されるＤＶＤ再生タスクを示すフローチャートである。
【図１９】  本発明第１実施形態のＣＰＵ６４により実行される再生ファイル選択の処理内容を示すフローチャートである。
【図２０】  本発明第１実施形態のＣＰＵ６４により実行される再生ファイル検索の処理内容を示すフローチャートである。
【図２１】  本発明第２実施形態のＣＰＵ６４により実行される再生ファイル選択の処理内容を示すフローチャートである。
【図２２】  図２１に示す本発明第２実施形態のＣＰＵ６４により実行される再生ファイル選択の処理内容の他の構成を示すフローチャートである。
【図２３】  図１９に示す本発明第１実施形態のＣＰＵ６４により実行される再生ファイル選択の処理内容の他の構成を示すフローチャートである。
【図２４】  図１９に示す本発明第１実施形態のＣＰＵ６４により実行される再生ファイル選択の処理内容の他の構成を示すフローチャートである。
【図２５】  モニタ１２の表示画面を説明する説明図である。
【符号の説明】
６            ＤＶＤプレーヤ
１０            カラオケ装置
１３            スピーカ
１２，１４      モニタ
１５            通信ケーブル
１６            アンプ
１７，１８      マイクロフォン
２０            コマンダ
４５，６４      ＣＰＵ
６０            映像管理テーブル用メモリ
６１，６２      ＤＶＤドライブ
６１Ａ，６２Ａ  ＤＶＤ
７０            送信器
９０            再生指示テーブル
１００            背景映像ファイルテーブル
１１０            番組情報ファイルテーブル
１２０            親ジャンルテーブル
１３０            曲データ
１４０            再生開始コマンド
１５０            再生停止コマンド
１６０，１７０    再生方法指示コマンド
１６２，１７２    基準映像設定コマンド
１８０            再生方法指示コマンド
１８２            基準映像設定コマンド
３００            背景映像
３０２            歌詞テロップ
【図１】
0003994473.tif 000002
【図２】
0003994473.tif 000003
【図３】
0003994473.tif 000004
【図４】
0003994473.tif 000005
【図５】
0003994473.tif 000006
【図６】
0003994473.tif 000007
【図７】
0003994473.tif 000008
【図８】
0003994473.tif 000009
【図９】
0003994473.tif 000010
【図１０】
0003994473.tif 000011
【図１１】
0003994473.tif 000012
【図１２】
0003994473.tif 000013
【図１３】
0003994473.tif 000014
【図１４】
0003994473.tif 000015
【図１５】
0003994473.tif 000016
【図１６】
0003994473.tif 000017
【図１７】
0003994473.tif 000018
【図１８】
0003994473.tif 000019
【図１９】
0003994473.tif 000020
【図２０】
0003994473.tif 000021
【図２１】
0003994473.tif 000022
【図２２】
0003994473.tif 000023
【図２３】
0003994473.tif 000024
【図２４】
0003994473.tif 000025
【図２５】
0003994473.tif 000026